(57)【特許請求の範囲】
【請求項１】
撮影レンズの窓部を覆う閉位置と、撮影レンズの窓部から退避する開位置と、の間を移動するレンズバリアを備えた撮像装置において、
前記レンズバリアを前記閉位置及び前記開位置間で移動させる開閉手段と、
前記開閉手段によって前記レンズバリアが前記閉位置に移動したとき、レンズバリアを前記窓部前面と面一となるように移動させる移動手段と、を有し、
前記開閉手段が、
回動可能なアームと、
前記アームを回動させる駆動手段と、
前記アームの回動動作を前記レンズバリアの開閉動作に変換する連結手段と、
前記レンズバリアの外周に設けられた支持体と、
前記支持体を案内すると共に、前記レンズバリアの前記開位置と前記閉位置との間に段差を有し、レンズバリアが閉位置に移動したとき、前記窓部前面側へ誘導するガイド部と、で構成され、
前記移動手段が、前記連結手段の一端を前記アームに、他端を前記レンズバリアに回動可能に連結してアームとの間に構成されたトグル機構であり、レンズバリアが前記開位置から前記閉位置に移動するにつれて連結手段がアームに対する傾きを変えて前記レンズバリアを前記窓部前面側へ押し上げることを特徴とする撮像装置。
【請求項２】
レンズバリアが開位置にあることを検知してレンズバリア全開信号を出力する全開検出手段と、
撮影レンズが窓部の奥方に収まる沈胴位置にあることを検知して沈胴位置信号を出力する沈胴検知手段と、
前記窓部前面と前記レンズバリアとが面一となったことを検知してレンズバリアフラット信号を出力するフラット検出手段と、
撮像電源をオンさせると前記開閉手段を駆動させて、前記レンズバリアを開位置へ移動させ、前記全開検出手段から前記レンズバリア全開信号が入力されると開閉手段を駆動停止させると共に、撮像電源をオフさせると前記撮影レンズ用駆動手段を駆動させて、前記沈胴検出手段から前記沈胴位置信号が入力されると、前記開閉手段を駆動させ、レンズバリアを閉位置へ移動させて、前記フラット検出手段から前記レンズバリアフラット信号が入力されると開閉手段を駆動停止させる制御手段と、
を有することを特徴とする請求項１に記載の撮像装置。
【請求項３】
前記窓部の内側縁部に設けられた段部と、
前記レンズバリアが着脱可能に保持され、前記支持体及び前記連結手段が設けられて、外周に前記段部と嵌め合い可能な嵌合部が設けられ、段部と前記嵌合部とが嵌め合った状態でレンズバリアを窓部前面と面一にする移動枠と、
を有することを特徴とする請求項１または請求項２に記載の撮像装置。
【発明の詳細な説明】
【０００１】
【発明の属する技術分野】
本発明は、撮影レンズの窓部を覆う閉位置と、撮影レンズの窓部から退避する開位置と、の間を移動するレンズバリアを備えた撮像装置、特にデジタルカメラに関する。
【０００２】
【従来の技術】
図１４（Ａ）に示すように、コンパクトカメラやデジタルカメラ２００などでは、持ち運び時に撮影レンズ２０２が傷つかないように、電源がオフのときに撮影レンズ２０２の窓部２００Ａを覆って撮影レンズ２０２を保護するレンズバリア２０４が設けられている。
【０００３】
このレンズバリア２０４は、デジタルカメラ２００の電源をオンにすると、デジタルカメラ２００の内部に設けられたステッピングモータ４０により回転移動し、図１４（Ａ）に示すように、撮影レンズ２０２の窓部２００Ａから退避するように構成されている。これにより、窓部２００Ａが全開となり、撮影レンズ２０２が突出可能となる。
【０００４】
【発明が解決しようとする課題】
しかしながら、図１４（Ｂ）に示すように、レンズバリア２０４が閉位置に移動した状態では、レンズバリア２０４の天面は、デジタルカメラ２００のボディ表面より奥方へ位置している。
【０００５】
このため、窓部２００Ａにはゴミ又はホコリが溜まりやすく、窓部２００Ａにゴミ又はホコリが溜まった状態でレンズバリア２０４を移動させると、デジタルカメラ２００の内部にゴミ又はホコリが入り、故障の原因となる恐れがある。
【０００６】
本発明は上記事実を考慮し、レンズバリアが閉位置のとき、レンズバリアとボディとの面が面一となる撮像装置を提供することを目的とする。
【０００７】
【課題を解決するための手段】
上記目的を達成するため、請求項１に記載の発明では、レンズバリアが撮影レンズの窓部を覆う閉位置と撮影レンズの窓部から退避する開位置との間を移動する。一方、開閉手段によってレンズバリアが閉位置に移動したとき、移動手段によってレンズバリアは、窓部前面と面一となる。
【０００８】
このように、レンズバリアと窓部前面とは面一となるため、窓部にゴミ又はホコリが溜まらない。従って、従来のように、窓部に溜まったゴミ又はホコリがカメラの内部に入り、故障の原因となることはない。また、レンズバリアと窓部前面とが面一であるため、カメラの筐体に印刷するデザインの幅が広がる。
【０００９】
また、請求項１に記載の発明では、駆動手段によってアームが回動する。このアームの回動動作は、連結手段によってレンズバリアの開閉動作に変換される。レンズバリアの外周には、支持体が設けられており、ガイド部によって案内される。
【００１０】
このガイド部には、レンズバリアの開位置と閉位置との間に段差が設けられており、レンズバリアが閉位置に移動したとき、支持体を窓部前面側へ誘導する。一方、連結手段の一端をアームに連結し、他端をレンズバリアに回動可能に連結してアームとの間に構成されたトグル機構によって、レンズバリアが開位置から閉位置に移動するにつれて連結手段がアームに対する傾きを変えてレンズバリアが窓部前面側へ押し上げられる。
【００１１】
従って、従来のように、レンズバリアの周縁に溜まったゴミ又はホコリがデジタルカメラの内部に入り、故障の原因となることはない。また、レンズバリアと窓部前面とが面一であるため、デジタルカメラの筐体に印刷するデザインの幅が広がる。さらに、アームが回転する際にレンズバリアが窓部より確実に離間し、窓部に干渉しないという優れた特徴を有する。
【００１２】
請求項２に記載の発明では、撮像電源がオンされると、開閉手段を駆動させ、レンズバリアを開位置へ移動させる。そして、全開検出手段によって、レンズバリアが開位置にあることが検知されると、レンズバリア全開信号が出力される。このレンズバリア全開信号が制御手段へ入力されると開閉手段が駆動停止する。
【００１３】
一方、撮像電源がオフされると、撮影レンズ用駆動手段を駆動させ、撮影レンズを窓部の奥方へ収納する。沈胴検出手段によって、撮影レンズが窓部の奥方に収納される沈胴位置にあることが検知されると、沈胴位置信号が出力される。この沈胴位置信号が制御手段へ入力されると開閉手段が駆動し、レンズバリアが閉位置へ移動する。
【００１４】
そして、フラット検出手段によって、窓部前面とレンズバリアとが面一となったことが検知されると、レンズバリアフラット信号が出力され、開閉手段が駆動停止する。
【００１５】
このように、各種の検出手段を備えることによって、レンズバリアが開位置に移動するときに、撮影レンズのレンズ面を摺動したり、レンズバリアが閉位置であるにも拘らず、撮影レンズが突出することがないようにしている。
【００１６】
請求項３に記載の発明では、窓部の内側縁部には段部が設けられている。一方、レンズバリアは、支持体及び連結手段が設けられた移動枠に着脱可能に保持されている。この移動枠の外周には、段部と嵌め合い可能な嵌合部が設けられており、段部と嵌合部とが嵌め合った状態でレンズバリアを窓部前面と面一にさせる。
【００１７】
このように、レンズバリアが着脱可能な移動枠を設けることにより、レンズバリアに傷等が入った場合に、レンズバリアの交換が容易である。また、段部と嵌合部とを嵌め合わせるだけで、レンズバリアが窓部前面と面一になるため、レンズバリアの位置決めが容易であると共に、段部によって移動枠の移動が規制されるため、レンズバリアが窓部前面から突出することはない。
【００１８】
さらに、段部と嵌合部とが嵌め合うことによって、移動枠を介してレンズバリアを位置決めするため、撮像装置を搖動させてもレンズバリアが閉位置からズレることはない。
【００１９】
【発明の実施の形態】
図１には、本形態に係る撮像装置としてのデジタルカメラ１０が示されている。まず、このデジタルカメラ１０の概要について、図２に示すブロック図に従って説明する。
【００２０】
本形態のデジタルカメラ１０は、シャッタボタン１２、操作ボタン１４、モードダイヤル１６、ディスプレイ１８、検出部２０、制御部２２、駆動回路２４、メモリ２６、圧縮伸張部２８、メモリーカードドライブ３０、及び電源３２がバス３４を介して接続された構成である。
【００２１】
モードダイヤル１６は、デジタルカメラ１０の動作モードを選択するダイヤルであり、例えば、写真撮影モード、動画モード、再生モード等のうちのいずれか１つを選択する。
【００２２】
ここで、デジタルカメラ１０の背面筐体の下方側には、図示しないＬＣＤから成るカラーのディスプレイ１８が取付けられており、ディスプレイ１８の上方側には、表示ボタン、実行ボタン、キャンセルボタン、ズーム調整ボタン等の操作ボタン１４が設けられている。
【００２３】
ディスプレイ１８は、画像表示指示がある場合に、メモリ２６に保存された画像データやメモリーカードから読み込んだ画像データに基づいて画像を画面全体に表示したり、複数の縮小画像を並べて表示したり、各種機能選択画面を表示する。
【００２４】
一方、制御部２２は、ＣＰＵ２２Ａ、ＲＯＭ２２Ｂ及びＲＡＭ２２Ｃとから構成され、バス３４を介してシャッタボタン１２、操作ボタン１４、モードダイヤル１６、ディスプレイ１８、全開検出装置５６（全開検出手段）、沈胴検出装置５８（沈胴検出手段）、フラット検出装置６０（フラット検出手段）、駆動回路２４、メモリ２６、圧縮伸張部２８、メモリーカードドライブ３０、及び電源３２等の各種構成要素が接続されている。
【００２５】
ところで、ＲＯＭ２２Ｂには、制御部２２に接続された上述の各種構成要素を制御するプログラム、及び、レンズバリア用ステッピングモータ４０の駆動制御プログラムが記憶されている。また、ＲＡＭ２２Ｃには、バス３４を介して入力される前記各プログラムに必要な各種データが記憶される。
【００２６】
一方、バス３４を介して制御部２２と接続する駆動回路２４には、ストロボ３６、レンズバリア３８を開位置と閉位置との間で移動させるためのステッピングモータ４０、フォーカスレンズ（撮影レンズ）４２を移動させるためのステッピングモータ４３、シャッタ４４、絞り４６、撮像デバイス４８が接続されており、駆動回路２４は、制御部２２からの制御信号に基づいてそれぞれを駆動制御する。
【００２７】
以上のような構成により、電源３２がオフからオンになると、ＣＰＵ２２Ａは、ＲＯＭ２２Ｂから各種制御プログラムおよびバリアモータ駆動制御プログラムを読み出して、各種構成要素の初期設定処理を行う。
【００２８】
撮影待機状態では、例えば、ＣＰＵ２２Ａは、測距部(図示省略)により測定された被写体との距離に基づいてオートフォーカス（ＡＦ）制御値を定めて駆動回路２４に出力する。駆動回路２４は、ＡＦ制御値に基づいてステッピングモータ４３を駆動して、フォーカスレンズ鏡胴４２を移動させ、自動的に焦点調整を行う。
【００２９】
また、ＣＰＵ２２Ａは、図示しない測光部で測定された測光値に基づいて露光制御値、例えば、絞り値（絞りの開口量）やシャッタスピード、ストロボ３６により発光させるか否か等を定めて駆動回路２４へ出力する。
【００３０】
そして、シャッタボタン１２が押下されると、駆動回路２４は、露光制御値に基づいてストロボ３６、ステッピングモータ４３、シャッタ４４、絞り４６及び撮像デバイス４８を駆動させ、レンズ４１を透過した被写体像を撮影する。
【００３１】
撮像デバイス４８には、露光制御値に応じて入射する光の光量に対応した電荷が蓄積される。蓄積された電荷、すなわち画像信号は、アナログ信号処理部５０に出力される。
【００３２】
アナログ信号処理部５０では、入力された画像信号に所定のアナログ信号処理（例えばノイズ低減処理）を施し、Ａ／Ｄ変換部５２へ出力する。Ａ／Ｄ変換部５２では、入力されたアナログ信号をデジタル信号に変換してデジタル信号処理部５４に出力する。デジタル信号処理部５４では、入力されたデジタル信号に所定のデジタル信号処理（例えばシェーディング補正処理）を施し、画像データとしてメモリ２６に出力する。また、メモリ２６に出力された画像データの画像は液晶などで構成されたディスプレイ１８により表示される。
【００３３】
デジタルカメラ１０では、操作ボタン１４により所定の操作を行うことにより撮影した画像をメモリカードドライブを介して、例えば、スマートメディアやＨｉＦＤ等のメモリカードに記憶させることができる。
【００３４】
この場合、メモリ２６に記憶された画像データは圧縮伸張部２８に出力され、該圧縮伸張部２８において所定の画像圧縮処理（例えばＪＰＥＧ処理）が行われる。圧縮された画像データはメモリーカードドライブ３０に出力され、メモリカードに書き込まれる。
【００３５】
なお、本形態のデジタルカメラ１０では、メモリカードに記憶された圧縮画像データを読み出すこともできる。この場合、メモリカードから読み出された圧縮画像データは圧縮伸張部２８へ出力され、この圧縮伸張部２８において伸張処理が施される。これにより、圧縮画像から元の画像に戻される。伸張処理された画像は、ディスプレイ１８に表示される。
【００３６】
次に、本形態に係るデジタルカメラ１０に備えられたレンズバリア３８について説明する。図１に示すように、デジタルカメラ１０の表筐体１０Ａには、レンズ開口部１１が形成されており、筒体の先端にレンズ４１が設けられたフォーカスレンズ鏡胴４２が通過可能となっている。
【００３７】
このフォーカスレンズ鏡胴４２は撮影時にレンズ開口部１１を通過して表筐体１０Ａから突出し、撮影時以外（再生時も含む）は、レンズ開口部１１の奥方（デジタルカメラ２０の内部）へ収納される。このとき、図３に示すように、円板状のレンズバリア３８がレンズ開口部１１を覆い、レンズ４１を保護する。
【００３８】
レンズバリア３８は、ガイド部７０Ａ、７２Ａに沿って移動可能となっており、具体的には、図１に仮想線で示すように、撮影時、レンズ開口部１１から退避する開位置と、撮影時以外のとき、実線で示すように、レンズ開口部１１を覆う閉位置との間を移動する。
【００３９】
レンズバリア３８は後述する移動枠６４の天面に形成された凹部６４Ａ内に嵌め込まれており、移動枠６４と一体となって移動する。一方、デジタルカメラ１０（図１参照）の内部には、図３に示すように、長円状のガイド周壁７０が設けられており、ガイド周壁７０にはガイド部７０Ａ、７２Ａが対面して凹設されており、移動枠６４から突出されたフォロワー７４を案内して、移動枠６４と共にレンズバリア３８を移動可能としている。
【００４０】
ところで、図３に示すように、駆動手段として、例えばステッピングモータ４０が用いられており、所定角度内を正転或いは逆転可能となっている。このステッピングモータ４０には出力軸７６が直結されており、出力軸７６にはピニオン７８が嵌合している。
【００４１】
一方、移動枠６４にはリンク９６（後述する）を介して略Ｌ字状のアーム８０が連結されている。このアーム８０の一端部には、固定軸６２が固定されており、固定軸６２が図示しない地板に回動可能に軸支され、固定軸６２には同軸上に平歯車８２が嵌合されている。
【００４２】
この平歯車８２がピニオン７８と噛み合って、ステッピングモータ４０からの駆動力をピニオン７８及び平歯車８２を介してアーム８０へ伝達する。これによって、アーム８０は固定軸６２を中心に回動し、移動枠６４と一体となったレンズバリア３８を開閉動作させる。
【００４３】
図３及び図４に示すように、移動枠６４の外周縁部からは、直径方向に一対の円柱状のフォロワー７４が張り出している。フォロワー７４はガイド部７０Ａ、７２Ａに形成された図示しない挿入口から挿入され、ガイド部７０Ａ、７２Ａを摺動して、ガイド部７０Ａ、７２Ａに沿って移動する。フォロワー７４がガイド部７０Ａ、７２Ａの縁部であるＯ地点又はＲ地点に到達すると、移動規制される。
【００４４】
ここで、Ｏ地点には全開検出装置５６としてのスイッチが配設されており、フォロワー７４がＯ地点に到達すると、スイッチが作動し、後述するレンズバリア全開信号が出力される。これにより、レンズバリア３８が開位置であることが判断される。
【００４５】
一方、図７及び図８に示すように、ガイド部７０ＡのＯ地点からＰ地点までは、フォロワー７４をデジタルカメラ１０の表筐体１０Ａと略平行に移動させるように形成されているが、図９に示すように、Ｐ地点からＱ地点においては、表筐体１０Ａ側に向かう傾斜面７５が形成され、フォロワー７４を介して移動枠６４と共にレンズバリア３８を表筐体１０Ａ側に向かうようにしている。
【００４６】
そして、Ｑ地点からＲ地点では、再度、フォロワー７４を表筐体１０Ａ（図１参照）と略平行に移動させ、移動枠６４をレンズ開口部１１に当接させる。これにより、フォロワー７４の移動は規制されるが、この状態では、ステッピングモータ４０は駆動しており、アーム８０は回転している。
【００４７】
このため、図１１に示すように、後述するトグル機構９８を構成するリンク９６が直立し、移動枠６４が持ち上げられ、レンズバリア３８の天面３８Ａと表筐体１０Ａの意匠面１５とが面一となる。
【００４８】
一方、表筐体１０Ａの裏面には、当接面１７が凹設されており、リンク９６が直立したとき軸支部８４、８６が当接可能となっている。ここで、表筐体１０Ａの裏面には、フラット検出装置６０（図２参照）としてのスイッチが配設されており、軸支部８４、８６が当接すると、スイッチが作動して、レンズバリアフラット信号が出力される。これにより、レンズバリア３８が閉位置であることが判断される。
【００４９】
ここで、トグル機構９８について説明する。
【００５０】
図４及び図５に示すように、移動枠６４の外周面からは、一対の軸支部８４、８６が突設しており、連結ピン８８が支持されている。一方、アーム８０には軸支部９０、９２が固定されており、連結ピン９４が支持されている。
【００５１】
この連結ピン８８、９４には、両端が角丸めされたリンク９６が連結されており、軸支部８４、８６及び軸支部９０、９２に対して回動可能となっている。これにより、リンク９６と固定軸６２を中心に回動するアーム８２によってトグル機構９８が構成される。
【００５２】
ここで、図５に示すように、軸支部８４、９０には、長孔１００が形成されており、この長孔１００が連結ピン８８、９４に沿ってスライド可能となっている（図６参照）。
【００５３】
図３、図５及び図６に示すように、アーム８０は固定軸６２を中心に回動するが、トグル機構９８によって移動するレンズバリア３８は、フォロワー７４を介して、長さの異なるガイド部７０Ａ、７２Ａに沿って移動するため、ガイド部７２Ａ側のフォロワー７４を中心にレンズバリア３８のガイド部７０Ａ側のフォロワー７４が振られる格好となる。従って、軸支部８４と軸支部８６とでは、移動距離を変える必要がある。
【００５４】
このため、連結ピン８８が軸支部８４の長孔１００をスライドさせることで、この移動距離の差を調整可能としている。一方、アーム８０の他端部には、係合ピン１０２が立設しており、この係合ピン１０２は移動枠６４の裏面に形成された長溝６４Ｂに沿って移動可能に係合されている。
【００５５】
この長溝６４Ｂが係合ピン１０２に沿って摺動することによって、連結ピン８８、９４が軸支部８４、９０の長孔１００をスライドするとき、移動枠６４がラジアル方向に振れないように移動枠６４の動きが規制される。このため、レンズバリア３８の動きがスムーズになる。
【００５６】
ところで、リンク９６はトーションバネ等の付勢手段（図示省略）によって矢印方向へ付勢されている。このため、図１０及び図１１に示すように、傾斜しているリンク９６を付勢手段の付勢力と抗する方向へ押圧して直立させたとき、フォロワー７４をＲ地点へ押し付けるため、移動枠６４と一体となったレンズバリア３８がガタ付かない。
【００５７】
ここで、レンズ開口部１１の内側縁部には、段部１３が形成されており、大径部の内径寸法Ｄ1は、移動枠６４の外形寸法と略同一となっており、小径部の内径寸法Ｄ2は、レンズバリア３８の外径寸法と略同一となっている。
【００５８】
一方、移動枠６４にはレンズバリア３８が嵌め込まれているが、移動枠６４の周壁の面一から突出しており、移動枠６４とレンズバリア３８との間に段差（嵌合部）が設けられている。また、図９に示すように、レンズバリア３８が移動枠６４から突出した突出量ｈと小径部の肉厚ｔとは略同一となっている。
【００５９】
以上のような構成により、図１１に示すように、リンク９６が直立して、移動枠６４と一体となったレンズバリア３８が押し上げられると、段差６５は段部１３に嵌合可能となり、移動枠６４の移動を規制して、レンズバリア３８の天面３８Ａを表筐体１０Ａの意匠面１５と面一にすることができる。
【００６０】
一般的に、レンズバリアはデジタルカメラの筐体内部に配置されているため、レンズバリアを閉位置へ水平移動させるだけでは、表筐体の意匠面から一段下がった所に配置されることとなり、表筐体とレンズバリアとの間に段差が生じ、ゴミ又はホコリが溜まり易くなってしまう。
【００６１】
しかし、本形態のように、トグル機構９８によって移動枠６４と共にレンズバリア３８を押し上げることで、レンズバリア３８の天面３８Ａを表筐体１０Ａの意匠面１５と面一にすることができるため、レンズバリア３８と表筐体１０Ａとの間で段差が生じることはなく、ゴミ又はホコリが溜まることはない。
【００６２】
従って、従来のように、段差に溜まったゴミ又はホコリがデジタルカメラ１０の筐体内部に入るということはない。また、段差６５と段部１３とが嵌合によって移動枠６４を介してレンズバリア３８は位置決めされるため、デジタルカメラ１０を搖動させてもレンズバリア３８が閉位置からズレることはない。さらに、レンズバリア３８と表筐体１０Ａとが面一であるため、デジタルカメラ１０の表筐体１０Ａに印刷するデザインの幅が広がる。
【００６３】
次に、レンズバリア３８の動作について、図２を参照して図１２及び図１３に示すフローチャートに従って説明する。
【００６４】
まず、図１２に示すように、ステップ１１０において、撮像電源をオンにすると、制御部２２にはレンズバリア開放信号が入力され、ステップ１１２では、図３に示すレンズバリア用のステッピングモータ４０が駆動して矢印Ａ方向に回転する。これにより、ステップ１１４では、アーム８０及びトグル機構９８を介して移動枠６４及びレンズバリア３８が矢印Ｂ方向（開位置方向）へ移動する。
【００６５】
このとき、図１１の状態で、アーム８０のみが矢印方向へ移動するため、軸支部８４、８６はそのままの位置で、軸支部９０、９２のみが矢印方向へ移動する。このため、図１０に示すように、リンク９６が傾く。これにより、レンズ開口部１１に形成された段差１３とガイド枠６４に設けられた段差６５とで、嵌合された状態が解除される。
【００６６】
そして、アーム８０の移動と共にリンク９６に引きずられるようにして、移動枠６４と共にレンズバリア３８が傾いたままフォロワー７４がガイド部７０ＡのＱ地点まで移動する（図９参照）。
【００６７】
次に、図８に示すように、ガイド部７０ＡのＱ地点からＰ地点に掛けて傾斜面７５となっているため、移動枠６４の傾きを除々に小さくし、レンズバリア３８を表筐体１０Ａの奥方へ移動させる。そして、図７に示すように、レンズバリア３８は図３に仮想線で示される開位置（Ｏ地点）まで案内される。
【００６８】
ステップ１１６で、レンズバリア３８が開位置へ移動したか否か判断される。レンズバリア３８が開位置へ移動し、ガイド部７０ＡのＯ地点に配置された全開検出装置５６のスイッチが作動すると、レンズバリア全開信号が出力される。
【００６９】
このレンズバリア全開信号は制御部２２へ入力され、ステップ１１８において、ステッピングモータ４０の駆動が停止する。そして、ステップ１２０でフォーカスレンズ用ステッピングモータ４３が駆動し、フォーカスレンズ鏡胴４２が表筐体１０Ａから突出して、撮影可能状態となる。
【００７０】
一方、図１３に示すように、ステップ１２２において、撮像電源をオフにすると、制御部２２にはレンズバリア閉止信号が入力され、ステップ１２４でフォーカスレンズ用のステッピングモータ４３が駆動し、フォーカスレンズ鏡胴４２がレンズ開口部１１の奥方へ移動する。
【００７１】
ステップ１２６において、フォーカスレンズ鏡胴４２が沈胴位置に到達したか否かが判断される。フォーカスレンズ鏡胴４２が沈胴位置に到達して、沈胴検出装置（図示省略）が作動し、沈胴位置信号が制御部２２へ入力されると、ステップ１２８において、撮影レンズ用ステッピングモータの駆動が停止する。一方、ステップ１３０では、ステッピングモータ４０を図３に示す矢印Ｃ方向へ回転させ、レンズバリア３８を矢印Ｄ方向（閉位置方向）へ移動させる。
【００７２】
これにより、図７及び図８に示すように、フォロワー７４がガイド部７０Ａ、７２Ａに沿って水平移動する。そして、フォロワー７４が地点Ｐに到達すると、図９に示すように、フォロワー７４は傾斜面７５に沿って移動し、移動枠６４が傾く。
【００７３】
この状態で移動枠６４が回動する。これにより、図１０に示すように、フォロワー７４がＲ地点に当たって、移動枠６４がレンズ開口部１１に形成された段部１３に当接する。この状態から、アーム８０はさらに回動するため、図１１に示すように、リンク９６が直立する。
【００７４】
このため、移動枠６４と一体となったレンズバリア３８が押し上げられる。ステップ１３４において、レンズバリア３８が閉位置へ移動したか否かが判断される。レンズバリア３８が閉位置へ移動して、表筐体１０Ａの裏面に配設されたフラット検出装置６０のスイッチが作動すると、レンズバリアフラット信号が出力される。このレンズバリアフラット信号は制御部２２へ入力されてステップ１３６でステッピングモータ４０の駆動が停止する。
【００７５】
以上のように、各種の検出手段を備えることによって、レンズバリア３８が開位置に移動するときに、フォーカスレンズ鏡胴４２のレンズ４１面を摺動したり、レンズバリア３８が閉位置であるにも拘らず、フォーカスレンズ鏡胴４２が突出することがないようにしている。
【００７６】
このため、レンズバリア３８及びフォーカスレンズ鏡胴４２の位置が認識できれば良いため、スイッチに限るものではなく、また、本形態による配設場所には限られない。
【００７７】
なお、本形態では、レンズバリア３８をトグル機構９８によって押し上げたが、レンズバリア３８とデジタルカメラ１０の表筐体１０Ａとが面一となれば良いので、これに限るものではなく、例えば、表筐体１０Ａのレンズ開口部１１付近に磁性体を配設してレンズバリアを吸着によって引き上げ、レンズバリアを開位置へ移動させるときは、磁性体を消磁させて、吸着解除するようにしても良い。
【００７８】
また、本形態では、レンズバリア３８がデジタルカメラ１０の内部を移動可能としているが、レンズバリア３８が閉位置で表筐体１０Ａと面一となれば良いため、レンズバリア３８がデジタルカメラ１０の外部に配置されても良い。
【００７９】
さらに、ここでは、移動枠６４を設けたが、移動枠６４は必ずしも必要ではなく、レンズバリア３８に直接支持体及び連結手段を設けても良い。
【００８０】
また、ガイド部７０Ａ、７２ＡのＰ地点からリンク９６を除々に起立させるようにしたが、レンズバリア３８の閉位置でリンク９６が直立していれば良いため、ガイド部７０Ａ、７２ＡのＯ地点からＲ地点までを傾斜させても良い。
【００８１】
さらに、本形態では、デジタルカメラについて説明したが、レンズ開口部を覆い、或いはレンズ開口部から退避するレンズバリアを用いるカメラであれば良いため、デジタルカメラに限るものではない。
【００８２】
【発明の効果】
本発明は、上記構成としたので、請求項１に記載の発明では、レンズバリアと窓部前面とは面一となるため、窓部にゴミ又はホコリが溜まらない。従って、従来のように、窓部に溜まったゴミ又はホコリがカメラの内部に入り、故障の原因となることはない。また、レンズバリアと窓部前面とが面一であるため、カメラの筐体に印刷するデザインの幅が広がる。
【００８３】
また、請求項１に記載の発明では、トグル機構を用いることによってアームに対する傾きを変えるだけで、レンズバリアが押し上げられるため、機構が簡単で故障が少ない。
【００８４】
請求項２に記載の発明では、各種の検出手段を備えることによって、レンズバリアが開位置に移動するときに、撮影レンズのレンズ面を摺動したり、レンズバリアが閉位置であるにも拘らず、撮影レンズが突出することがないようにしている。
【００８５】
請求項３に記載の発明では、レンズバリアが着脱可能な移動枠を設けることにより、レンズバリアに傷等が入った場合に、レンズバリアの交換が容易である。また、段部と嵌合部とを嵌め合わせるだけで、レンズバリアが窓部前面と面一になるため、レンズバリアの位置決めが容易であると共に、段部によって移動枠の移動が規制されるため、レンズバリアが窓部前面から突出することはない。さらに、段部と嵌合部とが嵌め合うことによって、移動枠を介してレンズバリアを位置決めするため、撮像装置を搖動させてもレンズバリアが閉位置からズレることはない。
【図面の簡単な説明】
【図１】本形態に係る撮像装置が適用されたデジタルカメラの外観を示す斜視図である。
【図２】本形態に係る撮像装置が適用されたデジタルカメラの要部のブロック図である。
【図３】本形態に係る撮像装置に用いられたレンズバリアを示す正面図であり、実線がレンズバリアの閉位置を示し、仮想線がレンズバリアの開位置を示す。
【図４】本形態に係る撮像装置に用いられたレンズバリアを示す斜視図である。
【図５】本形態に係る撮像装置に用いられたレンズバリアのトグル機構を示す斜視図である。
【図６】本形態に係る撮像装置に用いられたレンズバリアの移動状態を示す説明図である。
【図７】本形態に係る撮像装置に用いられたレンズバリアの移動状態を示す概略断面図であり、レンズバリアの開位置を示している。
【図８】本形態に係る撮像装置に用いられたレンズバリアの移動状態を示す概略断面図であり、フォロワーがＰ地点に到達した状態を示している。
【図９】本形態に係る撮像装置に用いられたレンズバリアの移動状態を示す概略断面図であり、フォロワーがＱ地点に到達した状態を示している。
【図１０】本形態に係る撮像装置に用いられたレンズバリアの移動状態を示す概略断面図であり、フォロワーがＲ地点に到達した状態を示している。
【図１１】本形態に係る撮像装置に用いられたレンズバリアの移動状態を示す概略断面図であり、レンズバリアの閉位置を示している。
【図１２】本形態に係る撮像装置が適用されたデジタルカメラの撮像電源をオンしたときの制御を示すフローチャートである。
【図１３】本形態に係る撮像装置が適用されたデジタルカメラの撮像電源をオフしたときの制御を示すフローチャートである。
【図１４】従来のデジタルカメラを示す概略断面図であり、（Ａ）はレンズバリアの開位置を示し、（Ｂ）はレンズバリアの閉位置を示している。
【符号の説明】
１０      デジタルカメラ
１１      レンズ開口部（窓部）
１３      段部
２０      検出部（制御手段）
２２      制御部（制御手段）
２４      駆動回路（制御手段）
３４      バス（制御手段）
３８      レンズバリア
４０      ステッピングモータ（駆動手段（開閉手段））
４３      ステッピングモータ（撮影レンズ用駆動手段）
５６      全開検出装置（全開検出手段）
５８      沈胴検出装置（沈胴検出手段）
６０      フラット検出装置（フラット検出手段）
６２      固定軸（駆動手段（開閉手段））
６４      移動枠
６５      段差（嵌合部）
７０      ガイド壁（ガイド部）
７０Ａ    ガイド部
７２      ガイド壁（ガイド部）
７２Ａ    ガイド部
７４      フォロワー（支持体（開閉手段））
７６      出力軸（駆動手段（開閉手段））
７８      ピニオン（駆動手段（開閉手段））
８０      アーム（開閉手段）
８２      平歯車（駆動手段（開閉手段））
８４      軸支部（連結手段（トグル機構（移動手段）））
８６      軸支部（連結手段（トグル機構（移動手段）））
８８      連結ピン（連結手段（トグル機構（移動手段）））
９０      軸支部（連結手段（トグル機構（移動手段）））
９４      連結ピン（連結手段（トグル機構（移動手段）））
９６      リンク（連結手段（トグル機構（移動手段）））
９８      トグル機構（移動手段）
【図１】
0004474032.tif 000002
【図２】
0004474032.tif 000003
【図３】
0004474032.tif 000004
【図４】
0004474032.tif 000005
【図５】
0004474032.tif 000006
【図６】
0004474032.tif 000007
【図７】
0004474032.tif 000008
【図８】
0004474032.tif 000009
【図９】
0004474032.tif 000010
【図１０】
0004474032.tif 000011
【図１１】
0004474032.tif 000012
【図１２】
0004474032.tif 000013
【図１３】
0004474032.tif 000014
【図１４】
0004474032.tif 000015